(57)【特許請求の範囲】
【請求項１】
帯状で金属箔からなる第１集電体と該第１集電体の両面に形成された負極活物質層とをもつ負極シートと、帯状で金属箔からなる第２集電体と該第２集電体の両面に形成された正極活物質層とをもつ正極シートと、該負極シートおよび該正極シートの間に設けられたセパレータとを渦巻状に巻回して形成した巻回型電極体を有する巻回型電極電池であって、
該負極シートおよび該正極シートは巻回軸方向に沿って互いに対向する相互に巻回軸方向に突出した互いに対向していない軸方向端部をもち、
該負極活物質層は該負極シートおよび該正極シートが互いに対向している該負極シートの対向部分に設けられており、該正極活物質層は該負極活物質層と対向する該第２集電体の対向部分で該巻回軸方向の両端を除く該巻回軸方向の中央部分に形成されており、
該セパレータは該第２集電体の該正極活物質層の巻回軸方向の両側にある両軸端部分に固定されていること、を特徴とする巻回型電極電池。
【請求項２】
前記正極活物質層と比較して前記負極活物質層は前記巻回型電極体の巻回方向に長くかつ巻回したときに巻回方向の両端で突出しており、
前記第１集電体と比較して前記第２集電体は前記巻回型電極体の巻回方向に長くかつ巻回したときに巻回方向の両端で突出している請求項１に記載の電極巻回型電池。
【請求項３】
前記正極シートの巻回方向両端部が絶縁被膜で覆われている請求項１に記載の電極巻回型電池。
【請求項４】
帯状で金属箔からなる第１集電体と該第１集電体の両面に形成された負極活物質層とをもつ負極シートと、帯状で金属箔からなる第２集電体と該第２集電体の両面に形成された正極活物質層とをもつ正極シートと、該負極シートおよび該正極シートの間に設けられたセパレータとを渦巻状に巻回して形成した巻回型電極体を有し、
該負極シートおよび該正極シートは巻回軸方向に沿って互いに対向する相互に巻回軸方向に突出した互いに対向していない軸方向端部をもち、
該負極活物質層は該負極シートおよび該正極シートが互いに対向している該負極シートの対向部分に設けられており、該正極活物質層は該負極活物質層と対向する該第２集電体の対向部分で該巻回軸方向の両端を除く該巻回軸方向の中央部分に形成され、
該セパレータは該第２集電体の該正極活物質層の巻回軸方向の両側にある両軸端部分に固定されており、
該正極活物質層と比較して該負極活物質層は前記電極体の巻回方向に長くかつ巻回したときに巻回方向の両端で突出し、
該第１集電体と比較して該第２集電体は該巻回型電極体の巻回方向に長くかつ巻回したときに巻回方向の両端で突出している巻回型電極電池を製造する方法であって、
前記正極シートは、
切断される前の前記第２集電体の切断される部位を除いて前記正極活物質層を間欠的に形成した切断される前の該正極シートを形成する工程と、
該切断される前の正極シートを切断する工程と、を有する工程で製造されることを特徴とする巻回型電池の製造方法。
【請求項５】
帯状で金属箔からなる第１集電体と該第１集電体の両面に形成された負極活物質層とをもつ負極シートと、帯状で金属箔からなる第２集電体と該第２集電体の両面に形成された正極活物質層とをもつ正極シートと、該負極シートおよび該正極シートの間に設けられたセパレータとを渦巻状に巻回して形成した巻回型電極体を有し、
該負極シートおよび該正極シートは巻回軸方向に沿って互いに対向する相互に巻回軸方向に突出した互いに対向していない軸方向端部をもち、
該負極活物質層は該負極シートおよび該正極シートが互いに対向している該負極シートの対向部分に設けられており、該正極活物質層は該負極活物質層と対向する該第２集電体の対向部分で該巻回軸方向の両端を除く該巻回軸方向の中央部分に形成され、
該セパレータは該第２集電体の該正極活物質層の巻回軸方向の両側にある両軸端部分に固定されている巻回型電極電池を製造する方法であって、
前記巻回型電極体は、
前記負極シートを製造する工程と、前記正極シートを製造する工程と、該正極シートの前記両軸端部分に前記セパレータを固定する工程と、該セパレータが固定された該正極シートの巻回方向両端部に絶縁被膜を形成する工程と、該負極シートと該正極シートとを該セパレータを介して対向するように積層し渦巻状に巻回する工程とを有することを特徴とする巻回型電池の製造方法。
【発明の詳細な説明】
【０００１】
【発明の属する技術分野】
本発明は、正極と負極とをセパレータを介して渦巻状に巻回した巻回型電極を有する巻回型電極電池およびその製造方法に関する。
【０００２】
【従来の技術】
近年、ノート型コンピューター、小型携帯器、あるいは自動車のクリーンなエネルギー源として高性能二次電池の開発が盛んである。ここで用いられる二次電池には小型、軽量でありながら大容量・高出力であり、高い歩留り率を有する優れた生産性が求められている。
【０００３】
現在、正極および負極の巻回軸方向に沿って互いに対向方向にセパレ−タから突出した電極活物質層が塗布されていない各軸方向端部を有する電極は、多数のタブの接続を要しないので生産性を低下させることなく製造でき、電気抵抗が少ない集電体をもって過熱の恐れなしに高出力を発揮できることが知られている。また、正極および負極にセパレ−タが一体的に有する電極体は、電池の製造において正極及び負極のみを整合性良く組み合わせればよいため、セパレ−タのズレによる歩留り率の低下が生じなくなり、その結果、優れた生産性が得られることが知られている。
【０００４】
従来、前記技術を用いて電極体を作製する際は、セパレ−タを、例えばリチウム酸化物正極と炭素負極のリチウム電池の場合は、炭素負極側に形成していた。
【０００５】
この理由としては、前記リチウム電池の場合は、リチウムデンドライトの発生防止等の安全面から、負極の活物質層の面積が対向する正極の活物質層の面積よりも大きい必要がある。このため、セパレ−タが一体となった電極体を連続的に搬送し、巻き始めと巻き終りとなる部をセパレ−タ、活物質層および集電体を同時にカットする工程においては、そのエッジ部での内部短絡を防止するために巻き方向長の長い負極側にセパレ−タを一体的に形成した方が、内部短絡不良が少なく歩留り率が向上するため活物質層の面積の大きい負極側の活物質層の両端にある両軸端部分にセパレ−タを一体的に形成していた（図４参照）。
【０００６】
【発明が解決しようとする課題】
ところで近年の二次電池の小型化への要求はとどまるところを知らない。
【０００７】
したがって本発明は、電池のスペース効率の向上を図ることができる巻回型電極電池およびその製造方法を提供することを解決すべき課題とする。
【０００８】
【問題を解決するための手段】
上記課題を解決するために本発明者らは鋭意検討を重ねた結果、以下の発明を行った。すなわち、帯状で金属箔からなる第１集電体と該第１集電体の両面に形成された負極活物質層とをもつ負極シートと、帯状で金属箔からなる第２集電体と該第２集電体の両面に形成された正極活物質層とをもつ正極シートと、該負極シートおよび該正極シートの間に設けられたセパレータとを渦巻状に巻回して形成した巻回型電極体を有する巻回型電極電池であって、該負極シートおよび該正極シートは巻回軸方向に沿って互いに対向する相互に巻回軸方向に突出した互いに対向していない軸方向端部をもち、該負極活物質層は該負極シートおよび該正極シートが互いに対向している該負極シートの対向部分に設けられており、該正極活物質層は該負極活物質層と対向する該第２集電体の対向部分で該巻回軸方向の両端を除く該巻回軸方向の中央部分に形成されており、該セパレータは該第２集電体の該正極活物質層の巻回軸方向の両側にある両軸端部分に固定されていることを特徴とする。
【０００９】
つまり巻回型電極体の巻回軸方向に沿って互いに反対方向にセパレ−タから突出した電極活物質層が塗布されていない各軸方向端部を有する電極シートの活物質層の面積の小さい側の電極シートの活物質層の両端にある両軸端部分にセパレ−タを一体的に形成することで正極シートと負極シートとの活物質層の幅の差の分だけ巻回軸長方向の長さを短くでき、全体としてのスペース効率の向上が図れるのである。たとえば巻回型電極電池としてリチウム電池を想定すると、図３（ａ）に示すように、正極シートの電極活物質層の方が負極の電極活物質層よりも面積が小さいので正極シートにセパレータを一体的に形成する。すると図３（ｂ）に示す負極シートにセパレータを固定した場合と比較して、巻回型電極体全体の大きさ（巻回軸方向の長さ）としては正極シートと固定した方が小さくなる。これは電極シートにセパレータを一体的に形成する場合に融着等によって行うのであるが、ある程度の強度をもたせて固定するためには両短軸部分の幅は一定幅以上が必要となること、そして互いの電極シートから突出する集電体の幅も一定幅以上が必要となる。したがって、巻回型電極体の大きさは突出する集電体の幅とセパレータを固定する両軸端部分の幅と電極活物質層の幅を加えた長さとなるので、電極活物質層の幅の小さい正極シート、リチウム二次電池の場合には正極シート側にセパレータを固定する方が巻回型電極体全体としての大きさが小さくなる。
【００１０】
そして前記第２電極活物質層と比較して前記第１電極活物質層は前記電極体の巻回方向に長くかつ巻回したときに巻回方向の両端で突出しており、前記第１集電体と比較して前記第２集電体は前記巻回型電極体の巻回方向に長くかつ巻回したときに巻回方向の両端で突出していることが好ましい。
【００１１】
これは、面積の小さい正極シートにセパレ−タを一体的に形成した場合に、正極シートの巻回型電極体の巻き始めと巻き終りの両端部で対向する負極シートと短絡するおそれが生じるので、正極シートの巻き始めと巻き終りの両端部に電極活物質層が無い部分を設け、対向する負極シートよりも巻き方向の全長は長く、かつ電極活物質層の長さは短くすることで内部短絡を抑制し歩留り率を向上できるので生産性に優れる。
【００１２】
また、正極シートの両端部を絶縁被膜で覆うことにより内部短絡を抑制し歩留り率を向上できるので生産性に優れるので好ましい。
【００１３】
【発明の実施形態】
以下に本発明の巻回型電極電池およびその製造方法について説明する。本発明が適用できる巻回型電極電池としては、正極シートと負極シートとがいずれかに固定されたセパレータを介して積層・巻回されており、正極もしくは負極シートのいずれかの電極活物質層が他方の電極活物質層よりも面積が小さいものであれば特に限定されない。たとえば、リチウム二次電池、ニケッル水素二次電池等の積層巻回型電極電池が例示できる。以下の説明では便宜的にリチウム二次電池に基づいて説明する。
【００１４】
〔巻回型電極電池〕
本実施形態の巻回型電極電池は負極シートと、正極シートと、その負極シートおよびその正極シートの間に設けられたセパレータとを渦巻状に巻回して形成した巻回型電極体を有する巻回型電極電池である。
【００１５】
巻回型電極体を形成した場合に、負極シートおよび正極シートは巻回軸方向に沿って互いに対向する相互に巻回軸方向に突出した互いに対向していない軸方向端部をもち、負極活物質層は負極シートおよび正極シートが互いに対向している負極シートの対向部分に設けられており、正極活物質層は負極活物質層と対向する正極集電体の対向部分で巻回軸方向の両端を除く巻回軸方向の中央部分に形成されている。
【００１６】
負極シートは帯状で金属箔からなる第１集電体とその第１集電体の両面に形成された負極活物質層とをもつ。
【００１７】
第１集電体は特に限定されることはないが、たとえば銅箔等を使用できる。負極活物質層にはリチウムイオンを充電時には吸蔵し、かつ放電時には放出することができれば、その材料構成で特に限定されるものではなく、公知の材料構成のものを用いることができる。特に、負極活物質、導電材および結着剤を混合して得られた負極合材が集電体に塗布されてなるものを用いることが好ましい。負極活物質としては、その活物質の種類で特に限定されるものではなく、公知の負極活物質を用いることができる。中でも、結晶性の高い天然黒鉛や人造黒鉛などの炭素材料は、リチウムイオンの吸蔵性能および拡散性能に優れるなど活物質の性能に優れる。そのため、このような炭素材料を負極活物質に用いれば、高い充放電効率と良好なサイクル特性とが得られる。
【００１８】
正極シートは帯状で金属箔からなる第２集電体とその第２集電体の両面に形成された正極活物質層とをもつ。
【００１９】
第２集電体は特に限定されることはないが、たとえばアルミニウム箔等を使用できる。正極活物質層には、リチウム−金属複合酸化物を含むものであれば特に限定されるものではなく、公知の活物質を用いることができる。たとえば、Ｌｉ(1-X)ＮｉＯ2、Ｌｉ(1-X)ＭｎＯ2、Ｌｉ(1-X)Ｍｎ2Ｏ4、Ｌｉ(1-X)ＣｏＯ2や、各々にＬｉ、Ａｌ、そしてＣｒ等の遷移金属を添加または置換した材料等が挙げられる。なお、正極活物質としては、１種類の物質を単独で用いる場合に限定されず、複数の物質を混合して用いてもよい。
【００２０】
セパレータは正極シートの第２集電体の正極活物質層の巻回軸方向の両側にある両軸端部分に固定されていることを特徴とする。リチウム二次電池においてはデンドライト析出を防止するために負極活物質層の面積を対向する正極活物質層の面積よりも大きくしている。また、セパレータの固定には少なくとも一定幅（面積）が必要である。したがって活物質層の面積が相対的に小さい正極シートにセパレータを固定することで巻回型電極体全体の巻回軸方向の高さを小さくすることができる。セパレータは多孔質膜等のイオン伝導性を有する膜であれば特に限定されるものではない。たとえば延伸法やキャスト法等によって製造できる。セパレータを両短軸部分に固定する方法としては熱融着、接着剤による接着等がある。セパレータは正極活物質層上には固定されないことが好ましい。
【００２１】
そして正極活物質層と比較して負極活物質層は巻回型電極体の巻回方向に長くかつ巻回したときに巻回方向の両端で突出しており、第１集電体と比較して第２集電体は巻回型電極体の巻回方向に長くかつ巻回したときに巻回方向の両端で突出していることが好ましい。
【００２２】
さらに正極シートの巻回方向両端部が絶縁被膜で覆われていることが絶縁確保の観点から好ましい。
【００２３】
本実施形態のリチウム二次電池はさらに支持塩を溶媒に溶解させた電解液と、巻回型電極体、電解液等を収納するケースと、必要に応じてその他電池の付属物（電極端子、安全装置等）とをもつ。
【００２４】
〔巻回型電極電池の製造方法〕
本発明の巻回型電極電池の製造方法は本発明の巻回型電極電池を製造する方法である。本実施形態の巻回型電極電池の製造方法は上述した実施形態のリチウム二次電池について説明する。まず一般的なセパレータを電極シートに固定させた巻回型電極電池を製造する方法を説明する。巻回型電極電池を製造する方法としては負極シートを製造する工程と正極シートを製造する工程とセパレータを製造する工程と正極シートにセパレータを固定する工程と負極シートおよびセパレータが固定された正極シートを渦巻状に巻回して巻回型電極体を形成する工程ともつ。
【００２５】
負極シートおよび正極シートを製造する工程としては、必要に応じて導電剤、結着剤等を加えたそれぞれの活物質を懸濁液としてそれぞれの集電体上に塗布・乾燥等を行って製造する。
【００２６】
セパレータを製造する工程としては高分子薄膜を延伸することによって多孔質膜としたり、高分子溶液を塗布して薄膜状とした後に乾燥させもしくは貧溶媒中に浸漬させたりして多孔質膜としたりすることで製造される。
【００２７】
正極シートにセパレータを固定する工程としては正極シートにセパレータを積層した後に正極シートの第２集電体のセパレータを固定する部分にセパレータを加熱したローラ等で熱融着させたり、接着剤で接着することによって固定できる。
【００２８】
巻回型電極体を形成する工程としては負極シートとセパレータが固定された正極シートとのそれぞれ必要な長さを切断した後に積層させ渦巻状に巻回する。
【００２９】
ここで正極活物質層は負極活物質層よりも巻回方向の長さが短い。そしてセパレータは正極に固定されている。このときに正極シートの巻回方向よりも突出してセパレータを固定することで正極シートと負極シートとの短絡が防止できる。ここでセパレータの長さを常に正極シートよりも突出させることよりもセパレータを連続的に正極シートに固定する工程の生産性を向上させることができる方法としてはセパレータが固定された正極シートの巻回方向両端部に絶縁被膜を形成する工程をさらにもつことが好ましい。例えば、絶縁皮膜としてはポリオレフィン系フィルムにアクリル酸あるいはシリコン系の粘着剤を塗布した粘着テープをあげることができる。また、セパレータを正極シートに固定した後にその巻回方向の端部を一部除去することで残存するセパレータを絶縁皮膜として利用できる。
【００３０】
または前述した正極シートを製造する工程として、正極シートおよびセパレータの固定を連続的に製造できる工程であって、切断される前の第２集電体の切断される部位を除いて正極活物質層を間欠的に形成した切断される前の正極シートを形成する工程と、切断される前の正極シートを切断する工程とにより行うことができる。第２集電体に間欠的に正極活物質層を形成することで正極活物質層の面積は負極活物質層よりも小さくできると同時に正極シートの長さは負極シートよりも長くできるので正極シート上に固定されたセパレータの長さも負極シートよりも長くすることが可能となり両極間の短絡が防止できる。第２集電体上に正極活物質を間欠的に塗布する方法としてはたとえばコータ等を塗布する必要がある場所では第２集電体に接触させ塗布する必要がない場所では離すことで実現できる。
【００３１】
さらに電池として完成するために製造した巻回型電極体を電解液と共にケース内に収納し封止する。このケースには電極端子や安全装置なども装備可能である。
【００３２】
したがって内部短絡を防止できかつ生産性の良い製造方法が提供できる。
【００３３】
【実施例】
本発明の実施例としての巻回型電極電池は、図１に示すように帯状の正極シート４１および負極シート４２と正極シート４１の両面に一体的に有するセパレ−タ４３とが巻回された巻回型電極体４と、巻回型電極体４の巻回軸方向に垂直な方向に配設された正極端子１および負極端子２とを有する。そして、正極シート４１および負極シート４２は、巻回軸方向に従って互いに反対方向にセパレ−タ４３から突出した電極活物質が塗布されていない辺縁部であってそれぞれ正極端子１および負極端子２に接続されている軸方向端部４１１、４２１を持つ。
【００３４】
正極端子１および負極端子２は、ともに金属製の導電体からなり、巻回型電極体４の軸方向端部４１１、４２１に接合される軸部１１、２１、フランジ部１２、２２、および組電池化際の連結に用いるネジ部１３、２３を有している。正極端子１および負極端子２はフランジ部１２および２２とケース３間に電池内部を密閉封止しかつ正極端子１、負極端子２とケース３とを絶縁する絶縁体からなるガスケット６を介し、ナット７の締結によりケース３に固定される。
【００３５】
巻回型電極体４は、図２に示すように、第２集電体としてのアルミニウムからなる導電性の集電体４１３の両面に正極活物質層４１２が形成された帯状の正極シート４１と、第１集電体としての銅からなる導電性の集電体４２３の両面に負極活物質層４２２が形成された帯状の負極シート４２と、正極シート４１の両面に一体的に有するセパレ−タ４３とからなる。セパレ−タ４３は、両極シート４１、４２それぞれの電極活物質４１２、４２２よりも巻回軸方向に長く、正極シート４１の軸方向端部４１１の一部と正極シート４１の軸方向端部４１１とは反対方向の端部である辺縁部４１１１とに融着されているポリエステル製のシートである。
【００３６】
正極シート４１および負極シート４２は、巻回軸方向に沿って、互いに反対方向にセパレ−タ４３から突出した電極活物質４１２、４２２が塗布されていない辺縁部である軸方向端部４１１、４２１を持つ。また、正極シート４１は、軸方向端部４１１とは巻回軸長方向に沿って、反対方向に電極活物質４１２が塗布されていない辺縁部４１１１を持つ。そして、両極シート４１、４２およびセパレ−タ４３は、幾重にも巻回されて巻回型電極体４を形成している。
【００３７】
（正極および負極シートの製法）
正極シート４１は、ＮＭＰに溶解したフッ化ビニリデン−ヘキサフルオロプロピレン共重合体、ニッケル酸リチウム、ケッチェンブラックからなる正極合剤ペーストを集電体４１３に塗布し乾燥後プレス成形することで作製した。
【００３８】
負極シート４２は、ＮＭＰに溶解したフッ化ビニリデン−ヘキサフルオロプロピレン共重合体およびグラファイトからなる負極合剤ペーストを集電体４２３に塗布し乾燥後プレス成形することで作製した。
【００３９】
電解液は、エチレンカーボネート３体積部、ジエチルカーボネート７体積部からなる溶媒１Ｌ当たり１ｍｏｌの六フッ化りん酸リチウムを溶解した。
【００４０】
（セパレ−タの製法）
飽和ポリエステル〔東洋紡績製、パイロンＫＳ００１Ｈ〕３０重量部、トリアリルイソシアヌレート〔日本化成製、ＴＡＩＣ〕３重量部、Ｎメチルピロリドン７０重量部を混合後、１２５℃に加熱し溶解した。
【００４１】
加熱したスリットダイにより離型フィルム上に塗布したのち、水中に５分間浸漬、乾燥した後、離型フィルム上に多孔質膜に得ることができた。
【００４２】
この多孔質膜にγ−アクリロキシプロピルトリメトキシシラン（信越化学製、ＫＢＭ５１０３〕５重量部、ジクミルパーオキサイド（日本油脂製、パークミルＤ〕１重量部を水５重量部、エタノール８９重量部の混合溶媒に１分間浸漬下後、乾燥しエタノールと水を除去した。このあと多孔質膜を窒素雰囲気中で１５０℃で３時間熱処理し、架橋した後、離型フィルムから剥離しセパレ−タ４３を得た。
【００４３】
（正極へのセパレ−タの固定）
正極シート４１を挟むようにセパレ−タ４３を配置し、巻回方向に対するセパレ−タ４３の両側端部を正極シート４１の軸方向端部４１１および辺縁部４１１１にブロックヒータにより加熱し、正極シート４１へ熱融着した。
【００４４】
〔実施例１〕
セパレ−タ４３が一体的に形成された切断前の正極シート４１を連続的に搬送し、巻き始めと巻き終りとなる部位で所定の寸法に切断した後、巻き始めと巻き終りの端部を図５に示すように絶縁被膜で被覆し、絶縁処理した。絶縁被膜は、耐電解液性、耐酸化性および耐還元性に優れる物が好ましい。また、絶縁性粘着テープを用いれは、所定の寸法を切り出したものを該当する箇所に感圧するだけで良いので、融着するよりも生産性に優れ好ましい。例えば、ポリオレフィン系フィルムにアクリル酸あるいはシリコン系の粘着剤を塗布した粘着テープをあげることができる。
【００４５】
しかる後に、この前記正極シート４１と負極シート４２とを積層・巻回し、所定の寸法で電池を試作し、初回は充電電流０．２５（ｍＡ／ｃｍ2 ）で４．１（Ｖ）までＣＣ（所定の電流値で所定の電圧まで電流を流すこと。以下同じ。）−ＣＶ（所定の電圧値で電流が０となるまで電流を流すこと。以下同じ。）充電し、充電電流０．３３（ｍＡ／ｃｍ2 ）で３．０（Ｖ）までＣＣ放電を行った。次に充電電流１．１（ｍＡ／ｃｍ2 ）で４．１（Ｖ）までＣＣ−ＣＶ充電、充電電流１．１（ｍＡ／ｃｍ2 ）で３．０（Ｖ）までＣＣ放電を４回行った後、充電電流１．１（ｍＡ／ｃｍ2 ）で４．１（Ｖ）までＣＣ−ＣＶ充電、充電電流０．３３（ｍＡ／ｃｍ2 ）で３．０（Ｖ）までＣＣ放電した。なお、測定は２０℃の雰囲気で行った。
【００４６】
〔実施例２〕
図６に示すように正極活物質を間欠塗工し、あらかじめ巻き始めと巻き終りとなる部分に正極活物質層が無い部分を作製した。この切断前の正極シート４１を連続的に搬送し、巻き始めと巻き終りとなる部で所定の寸法に切断することで対向する負極シート４２よりも巻回方向の全長は長く、かつ活物質層の長さ（面積）は短い正極シート４１を得た。
【００４７】
そして、この正極を用いた以外は、実施例１と同じである。
【００４８】
〔実施例３〕
セパレ−タ４３が一体的に形成された切断前の正極シート４１を連続的に搬送し、巻き始めと巻き終りとなる部で所定の寸法に切断した後、巻き始めと巻き終り部を図７に示すようにセパレ−タ４３以外を切断・除去することでエッジ部分に正極シート４１のないセパレータ４３が固定された正極シート４１を得た。あらかじめ除去する部位のセパレ−タ４３は、正極シート４１と融着しておかない方が、生産性に優れ好ましい。
【００４９】
そして、この正極シート４１を用いた以外は、実施例１と同じである。
【００５０】
〔結果〕
実施例１〜３の電池を、各１０セル作製した後、充電電流１．１（ｍＡ／ｃｍ2 ）で３．７５（Ｖ）までＣＣ−ＣＶ充電し、２５℃以下で１０日間放置後、開回路電圧を測定した結果、３．７（Ｖ）以下になった電池は無かった。
【００５１】
【発明の効果】
以上本発明によると、電池のスペース効率の向上を図ることができる巻回型電極電池およびその製造方法を提供することができるという効果を有する。
【図面の簡単な説明】
【図１】実施例の巻回型電極電池を示した一部断面図である。
【図２】正極シートと負極シートとセパレータとを積層する位置を示した概略図である。
【図３】正極シートにセパレータを固定した場合（ａ）と負極シートにセパレータを固定した場合（ｂ）とを比較した概略図である。
【図４】正極シートにセパレータを固定した場合と負極シートにセパレータを固定した場合とで正極シートと負極シートとを積層した様子をそれぞれ示す断面図である。
【図５】実施例１の積層した正極シートと負極シートとセパレータとの断面図である。
【図６】実施例２の積層した正極シートと負極シートとセパレータとの断面図である。
【図７】実施例３の積層した正極シートと負極シートとセパレータとの断面図である。
【符号の説明】
１…正極端子１
１１…軸部    １２…フランジ部    １３…ネジ部
２…負極端子
２１…軸部    ２２…フランジ部    ２３…ネジ部
３…ケース
４…巻回型電極体
４１…正極シート    ４１１…軸方向端部    ４１１１…辺縁部    ４１２…正極活物質層    ４１３…集電体
４２…負極シート    ４２１…軸方向端部    ４２２…負極活物質層  ４２３…集電体
４３…セパレ−タ
６…ガスケット
７…ナット
【図１】
0004590723.tif 000002
【図２】
0004590723.tif 000003
【図３】
0004590723.tif 000004
【図４】
0004590723.tif 000005
【図５】
0004590723.tif 000006
【図６】
0004590723.tif 000007
【図７】
0004590723.tif 000008